(57)【特許請求の範囲】
【請求項１】
複数の電子データを記憶するサーバに接続された画像形成装置において、
原稿から画像を読み取る画像読取手段と、
前記画像から、原稿識別情報を認識する原稿識別情報認識手段と、
前記原稿識別情報に対応する電子データが前記サーバに存在するか否かを確認する確認手段と、
前記確認手段により、前記原稿識別情報に対応する電子データが前記サーバに存在すると確認された場合、前記電子データの存在及び前記サーバからの前記電子データの送信条件を利用者に報知するとともに、前記電子データの送信を要求する電子データ要求情報を前記サーバに対して送信するか否かを前記利用者に選択させる選択手段と、
前記電子データ要求情報を前記サーバに対して送信すると選択された場合には、前記電子データ要求情報を前記サーバに対して送信する電子データ要求情報送信手段と、
前記サーバから前記電子データが送信された場合には、前記画像読取手段による原稿の読み取りを中止し、前記サーバから前記電子データを受信する電子データ受信手段と、
を備えることを特徴とする画像形成装置。
【請求項２】
前記電子データ受信手段により受信された前記電子データを画像データとして出力する画像データ出力手段を更に備えることを特徴とする請求項１に記載の画像形成装置。
【請求項３】
前記電子データ要求情報には、前記サーバが提供可能な前記電子データのうち、取得する電子データの範囲を含んでいることを特徴とする請求項１又は２の何れか一項に記載の画像形成装置。
【請求項４】
前記電子データの範囲は、前記画像読取手段により読み取られた原稿以降のページを取得する電子データの範囲とすることを特徴とする請求項３に記載の画像形成装置。
【請求項５】
前記電子データ要求情報には、前記サーバが提供可能な前記電子データの出力方法を含んでいることを特徴とする請求項１から４の何れか一項に記載の画像形成装置。
【請求項６】
前記サーバから前記原稿識別情報に対応する電子データが存在するか否かを示す通知情報を受信する通知情報受信手段を更に有し、
前記通知情報には、前記電子データに対する課金情報が含まれていることを特徴とする請求項１に記載の画像形成装置。
【請求項７】
複数の電子データを記憶するサーバに接続されたコンピュータに、
原稿から画像を読み取る画像読取機能と、
前記画像から、原稿識別情報を認識する原稿識別情報認識機能と、
前記原稿識別情報に対応する電子データが前記サーバに存在するか否かを確認する確認機能と、
前記確認機能により、前記原稿識別情報に対応する電子データが前記サーバに存在すると確認された場合、前記電子データの存在及び前記サーバからの前記電子データの送信条件を利用者に報知するとともに、前記電子データの送信を要求する電子データ要求情報を前記サーバに対して送信するか否かを前記利用者に選択させる選択機能と、
前記電子データ要求情報を前記サーバに対して送信すると選択された場合には、前記電子データ要求情報を前記サーバに対して送信する電子データ要求情報送信機能と、
前記サーバから前記電子データが送信された場合には、前記画像読取機能による原稿の読み取り処理を中止し、前記サーバから前記電子データを受信する電子データ受信機能と、
を実現させることを特徴とするプログラム。
【請求項８】
複数の電子データを記憶するサーバと、当該サーバに接続された画像形成装置とを含む情報提供システムにおいて、
前記画像形成装置は、
原稿から画像を読み取る画像読取手段と、
前記画像から、原稿識別情報を認識する原稿識別情報認識手段と、
前記原稿識別情報に対応する電子データが前記サーバに存在するか否かを確認する確認手段と、
前記確認手段により、前記原稿識別情報に対応する電子データが前記サーバに存在すると確認された場合、前記電子データの存在及び前記サーバからの前記電子データの送信条件を利用者に報知するとともに、前記電子データの送信を要求する電子データ要求情報を前記サーバに対して送信するか否かを前記利用者に選択させる選択手段と、
前記電子データ要求情報を前記サーバに対して送信すると選択された場合には、前記電子データ要求情報を前記サーバに対して送信する電子データ要求情報送信手段と、
を備え、
前記サーバは、
前記電子データ要求情報に含まれる前記電子データを、前記画像形成装置に送信する電子データ送信手段を備え、
前記画像形成装置は、前記サーバから前記電子データを受信した場合には、前記画像読取手段による原稿の読み取りを中止して、前記電子データを画像データとして出力することを特徴とする情報提供システム。
【発明の詳細な説明】
【技術分野】
【０００１】
本発明は、複数の電子データを記憶するサーバに接続された画像形成装置等に関する。
【背景技術】
【０００２】
従来の画像形成装置の一種である複写機は、本や原稿の複写物を提供するものでしかなかった。しかし、最近は複写機能の他にも各種機能を備えたデジタル複合機が一般的である。すなわち、原稿を読み取り、電子的に処理して原稿データ（画像データ）として格納する。画像データを記録紙に高画質の複写物として出力するだけでなく、デジタルカメラや携帯電話等により撮影された画像データを出力する目的でも利用されている。
【０００３】
このように、デジタル複合機は、原稿をスキャンしたり、外部から入力されたりしたものを記録紙に印刷したり、画像データとして提供したりすることが可能となって来ている。
【０００４】
また、デジタル複合機は、ネットワーク接続により、利用者が所持している画像データ等の情報をプリントアウトするだけではなく、利用者に対して電子データといったコンテンツ情報を提供する機能も備えるようになってきている。
【０００５】
原稿画像と、電子データとを有効に活用する方法としては、例えば特許文献１の技術が開示されている。特許文献１には、読み取られた原稿画像から記憶されている電子データを特定し、当該電子データの取得に対して使用料を支払うことで利用可能となる。このとき、記憶されていない場合は、新たに原稿を読み取り画像データとして記憶する内容が開示されている。
【先行技術文献】
【特許文献】
【０００６】
【特許文献１】特開２００６−１４８６６３号公報
【発明の概要】
【発明が解決しようとする課題】
【０００７】
従来は、電子データの提供を受ける場合は、当該電子データが存在するか否かを問い合わせ、その問い合わせに応じて電子データを選択する必要が有った。
【０００８】
また、読み取られる原稿の枚数、大きさにより、利用者が電子データとして取得したい場合と、原稿データとして読み取りたい場合があるが、電子データとして利用する場合は、従来は一律に受信する必要が有った。例えば、途中までは原稿を読み取っていた場合に、残りを電子データとして取得するといったことが出来なかった。
【０００９】
また、電子データが存在しているか否かを確認する間は、原稿読取処理を行うことが出来ず、待ち時間が生じてしまうといった問題点があった。
【００１０】
更に、電子データを取得する場合、サーバに電子データが記憶されているかを利用者が記憶されている電子データのインデックス等を用いて検索する必要が有り、使い勝手が良いとは言えなかった。
【００１１】
上述した課題に鑑み、本発明が目的とするところは、サーバに接続された画像形成装置において、読み取られた原稿に応じて電子データが提供可能か否かを判定し、利用者が所望する電子データをサーバから受信することにより、使い勝手の良い画像形成装置等を提供することを目的とする。
【課題を解決するための手段】
【００１２】
上述した課題に鑑み、本発明の画像形成装置は、複数の電子データを記憶するサーバに接続された画像形成装置において、
原稿から画像を読み取る画像読取手段と、
前記画像から、原稿識別情報を認識する原稿識別情報認識手段と、
前記原稿識別情報に対応する電子データが前記サーバに存在するか否かを確認する確認手段と、
前記確認手段により、前記原稿識別情報に対応する電子データが前記サーバに存在すると確認された場合、前記電子データの存在及び前記サーバからの前記電子データの送信条件を利用者に報知するとともに、前記電子データの送信を要求する電子データ要求情報を前記サーバに対して送信するか否かを前記利用者に選択させる選択手段と、
前記電子データ要求情報を前記サーバに対して送信すると選択された場合には、前記電子データ要求情報を前記サーバに対して送信する電子データ要求情報送信手段と、
前記サーバから前記電子データが送信された場合には、前記画像読取手段による原稿の読み取りを中止し、前記サーバから前記電子データを受信する電子データ受信手段と、
を備えることを特徴とする。
【００１３】
また、本発明の画像形成装置は、
前記確認手段により、前記原稿識別情報に対応する電子データがサーバに存在するか否かを確認していることを報知する報知手段を更に備えることを特徴とする。
【００１４】
また、本発明の画像形成装置は、
前記確認手段により、前記原稿識別情報に対応する電子データがサーバに存在することが確認出来た場合に、当該電子データの存在を報知する報知手段を更に備えることを特徴とする。
【００１５】
また、本発明の画像形成装置は、
前記電子データ受信手段により受信された電子データを画像データとして出力する画像データ出力手段を更に備えることを特徴とする。
【００１６】
また、本発明の画像形成装置において、
前記画像データ出力手段は、前記画像読取手段により読み取られた画像に続けて、前記電子データを加えて画像データとして出力することを特徴とする。
【００１７】
また、本発明の画像形成装置において、
前記画像データ出力手段は、前記画像読取手段により読み取られた画像に対して、必要な電子データを追加した形のデータとして出力することを特徴とする。
【００１８】
また、本発明の画像形成装置において、
前記電子データ要求情報には、サーバが提供可能な電子データのうち、取得する電子データの範囲を含んでいることを特徴とする。
【００１９】
また、本発明の画像形成装置において、
前記電子データ要求情報には、サーバが提供可能な電子データの出力方法を含んでいることを特徴とする。
【００２０】
また、本発明の画像形成装置は、
前記サーバに原稿識別情報に対応する電子データが存在するか否かを示す通知情報を受信する通知情報受信手段を更に有し、
前記通知情報には、電子データに対する課金情報が含まれていることを特徴とする。
【００２１】
また、本発明の画像形成装置は、
前記報知手段は、前記原稿識別情報に対応する電子データがサーバに存在する場合、電子データの存在及び制限事項の報知に対して、電子データ要求情報を送信するか否かを選択させる選択手段を更に備えることを特徴とする
【００２２】
本発明の画像形成装置は、原稿識別情報に対応づけられた電子データが記憶された画像形成装置において、
原稿から画像を読み取る画像読取手段と、
前記画像から、原稿識別情報を認識する原稿識別情報認識手段と、
前記原稿識別情報に対応する電子データが記憶されているか否かを確認する確認手段と、
前記原稿識別情報に対応する電子データが記憶されている場合には、前記画像読取手段による原稿の読み取りを中止し、電子データを画像データとして出力する画像出力手段と、
を備えることを特徴とする。
【００２３】
本発明のプログラムは、複数の電子データを記憶するサーバに接続されたコンピュータに、
原稿から画像を読み取る画像読取機能と、
前記画像から、原稿識別情報を認識する原稿識別情報認識機能と、
前記原稿識別情報に対応する電子データが前記サーバに存在するか否かを確認する確認機能と、
前記確認機能により、前記原稿識別情報に対応する電子データが前記サーバに存在すると確認された場合、前記電子データの存在及び前記サーバからの前記電子データの送信条件を利用者に報知するとともに、前記電子データの送信を要求する電子データ要求情報を前記サーバに対して送信するか否かを前記利用者に選択させる選択機能と、
前記電子データ要求情報を前記サーバに対して送信すると選択された場合には、前記電子データ要求情報を前記サーバに対して送信する電子データ要求情報送信機能と、
前記サーバから前記電子データが送信された場合には、前記画像読取機能による原稿の読み取り処理を中止し、前記サーバから前記電子データを受信する電子データ受信機能と、
を実現させることを特徴とする。
【００２４】
本発明の情報提供システムは、複数の電子データを記憶するサーバと、当該サーバに接続された画像形成装置とを含む情報提供システムにおいて、
前記画像形成装置は、
原稿から画像を読み取る画像読取手段と、
前記画像から、原稿識別情報を認識する原稿識別情報認識手段と、
前記原稿識別情報に対応する電子データが前記サーバに存在するか否かを確認する確認手段と、
前記確認手段により、前記原稿識別情報に対応する電子データが前記サーバに存在すると確認された場合、前記電子データの存在及び前記サーバからの前記電子データの送信条件を利用者に報知するとともに、前記電子データの送信を要求する電子データ要求情報を前記サーバに対して送信するか否かを前記利用者に選択させる選択手段と、
前記電子データ要求情報を前記サーバに対して送信すると選択された場合には、前記電子データ要求情報を前記サーバに対して送信する電子データ要求情報送信手段と、
を備え、
前記サーバは、
前記電子データ要求情報に含まれる前記電子データを、前記画像形成装置に送信する電子データ送信手段を備え、
前記画像形成装置は、前記サーバから前記電子データを受信した場合には、前記画像読取手段による原稿の読み取りを中止して、前記電子データを画像データとして出力することを特徴とする。
【発明の効果】
【００２５】
本発明によれば、原稿から画像を読み取り、画像から原稿識別情報を認識し、原稿識別情報に対応する電子データがサーバに存在するか否かを確認し、電子データがサーバに存在する場合には、電子データを要求するための電子データ要求情報を送信する。そして、サーバから電子データが送信された場合には、原稿の読み取りを中止し、電子データを受信することとなる。したがって、原稿に対応する電子データがサーバに存在している場合には、残りの原稿について読み取る必要が無く、電子データを利用することができる。
【図面の簡単な説明】
【００２６】
【図１】情報提供システムの概略を説明するための図である。
【図２】本発明を適用した場合におけるデジタル複合機の外観図である。
【図３】デジタル複合機の機能構成を説明するための図である。
【図４】電子データ要求情報の一例を示す図である。
【図５】サーバの機能構成を説明するための図である。
【図６】電子データ格納領域の一例を示す図である。
【図７】デジタル複合機の処理の流れを説明するためのフローチャートである。
【図８】原稿識別情報認識処理の動作について説明するための図である。
【図９】電子データ出力設定処理の流れを説明するためのフローチャートである。
【図１０】サーバの処理の流れを説明するためのフローチャートである。
【図１１】情報提供システムの処理の流れを説明するためのフローチャートである。
【図１２】実施形態における表示画面の一例を示す図である。
【図１３】実施形態における表示画面の一例を示す図である。
【図１４】実施形態における表示画面の一例を示す図である。
【図１５】実施形態における表示画面の一例を示す図である。
【図１６】実施形態における表示画面の一例を示す図である。
【図１７】実施形態における表示画面の一例を示す図である。
【図１８】実施形態における表示画面の一例を示す図である。
【発明を実施するための形態】
【００２７】
以下、図面を参照して本発明を実施するための最良の形態について説明する。なお、本実施形態では、一例として、本発明における画像形成装置を、デジタル複合機に適用した場合について説明する。
【００２８】
［１．システム構成］
まず本発明を適用した情報提供システム全体の構成について図１を用いて説明する。図１に示す用に、情報提供システム１は、ネットワークに、画像形成装置としてデジタル複合機１０と、情報として電子データを提供するサーバ２０とが接続されている。
【００２９】
本実施形態において、ネットワークは構内に設けられたＬＡＮ（Local Area Network）として説明する。ここでネットワークは、例えば、１００ＢＡＳＥ−Ｔや、１０００ＢＡＳＥ−Ｔ等のＥｔｈｅｒｎｅｔ（登録商標）を利用した有線ＬＡＮであっても良いし、ＩＥＥＥ８０２．１１ａや、ＩＥＥＥ８０２．１１ｂといった無線ＬＡＮであっても良い。更に、インターネットや、光回線等を利用したＷＡＮであっても良い。すなわち、デジタル複合機１０と、サーバ２０とが通信可能なネットワークで有れば良い。
【００３０】
［２．装置構成］
続いて、情報提供システム１に含まれる各装置の構成についての図を用いて説明する。
【００３１】
［２．１  デジタル複合機］
まず、デジタル複合機１０の構成について説明する。図２はデジタル複合機１０の外観斜視図であり、図３はデジタル複合機１０の機能構成図である。
【００３２】
図３に示すように、デジタル複合機１０は、制御部１００に、画像入力部１１０と、画像形成部１２０と、画像出力部１３０と、通信部１４０と、記憶部１５０と、操作部１６０と、表示画面生成部１７０とが接続されている。
【００３３】
制御部１００は、デジタル複合機１０の全体を制御するための機能部である。制御部１００は、記憶部１５０に記憶されている各種プログラムを読み出して実行することにより各種機能を実現しており、例えばＣＰＵ（Central Process Unit）等により構成されている。
【００３４】
画像入力部１１０は、原稿の画像を読み取って画像データを生成するものであり、例えばＣＣＤ（Charge Coupled Device）等の光学情報を電気信号に変換するデバイスを備えたスキャナ装置等により構成されている。なお、画像入力部１１０は、スキャナ装置等の他にもデジタルカメラ等で撮像された画像を外部から取り込むようにしてもよいし、ＵＳＢメモリや、コンパクトフラッシュ（登録商標）等の記憶媒体、他の情報端末から原稿データを入力しても良い。
【００３５】
画像形成部１２０は、画像データを記録媒体（例えば記録用紙）に形成するための機能部である。例えば、図２の給紙トレイ１３２から記録用紙を給紙し、画像形成部１２０に記録用紙の表面に画像が形成された後に排紙トレイ１３４から排紙される。画像形成部１２０は、例えば電子写真方式を利用したレーザプリンタ等により構成されている。
【００３６】
画像出力部１３０は、入力された画像データを処理し、出力する為の機能部である。画像出力部は、画像入力部１１０から出力された原稿データや、通信部１４０から受信された電子データから、画像データを出力する。本実施形態における出力先としては、画像形成部１２０に出力して印刷する場合と、他の記憶装置や端末等に画像データを出力する場合とがある。
【００３７】
通信部１４０は、デジタル複合機１０と外部の端末とが通信を行う為のインタフェースを提供する機能部である。例えば、Ｅｔｈｅｒｎｅｔに接続可能なＮＩＣ（Network Interface Card）等により構成されている。
【００３８】
記憶部１５０は、デジタル複合機１０の動作に必要な各種プログラムや、各種データが記憶されている機能部である。記憶部１５０は、例えば、半導体メモリや、ＨＤＤ（Hard Disk Drive）等により構成されている。また、記憶部１５０には、原稿データを記憶する為の原稿データ格納領域１５２が確保されており、原稿識別情報１５４と、電子データ要求情報１５６とが記憶される。
【００３９】
原稿データ格納領域１５２は、画像入力部１１０から入力された原稿データ（画像）を記憶する為の領域である。
【００４０】
原稿識別情報１５４は、入力された原稿（データ）を識別するための情報である。例えば、書籍のＩＳＢＮコードや、書籍名、出版社名等が利用される。また、必要となる識別情報を出版社やコンテンツ提供者が、別に付与することとしても良い。
【００４１】
電子データ要求情報１５６は、デジタル複合機１０からサーバ２０に対して電子データを要求するときの、要求する電子データに関する情報である。制御部１００は、後述する電子データ出力設定処理において電子データ要求情報１５６を作成し、サーバ２０に送信する。
【００４２】
ここで、電子データ要求情報１５６の一例を図４に示す。図４に示すように、要求する電子データの名前（例えば、「電子データＡ」）と、取得する電子データの範囲（例えば、「全部」）と、出力方法（例えば、「印刷」）とを含んで記憶している。
【００４３】
操作部１６０は、利用者が動作を指示したり、設定を指示したりするための入力装置である。例えば、各種キースイッチや、利用者に対して各種情報等を表示するＬＣＤ等で構成されている表示部を含んだタッチパネル等により構成されている。
【００４４】
本実施形態においては、部数や動作スタート等を入力するキースイッチ（ハードキー）と、表示されている内容に基づいて指示を入力可能なタッチパネルの組み合わせで構成されることとするが、例えばハードキーのみによって構成されても良い。また、タッチパネルを用いずに、別に表示部を設けることとしても良い。
【００４５】
表示画面生成部１７０は、利用者に対して各種情報等を表示する表示画面を生成するための機能部である。表示画面生成部１７０で生成された表示画面は、本実施形態においては操作部１６０のタッチパネルに表示される。
【００４６】
［２．２  サーバ］
続いて、サーバ２０の構成について、図５を用いて説明する。図５に示すように、サーバ２０は、制御部２００に通信部２４０と、記憶部２５０とが接続されている。
【００４７】
制御部２００は、サーバ２０の全体を制御するための機能部である。制御部２００は、記憶部２５０に記憶されている各種プログラムを読み出して実行することにより各種機能を実現しており、例えばＣＰＵ（Central Process Unit）等により構成されている。
【００４８】
記憶部２５０は、サーバ２０の動作に必要な各種プログラムや、各種データが記憶されている機能部である。記憶部２５０は、例えば、半導体メモリや、ＨＤＤ（Hard Disk Drive）等により構成されている。また、記憶部２５０には電子データを記憶する電子データ格納領域２５２が確保されている。
【００４９】
電子データ格納領域２５２は、電子データが記憶されるための領域である。電子データ格納領域２５２の一例を図６に示す。電子データ格納領域２５２は、電子データ名（例えば、「電子データＡ」）と、識別情報（例えば、「４９９９９８７６５８」）と、ページ数（例えば、「２５０ページ」）と、電子データとがそれぞれ対応づけられて記憶されている。
【００５０】
電子データは、原稿の電子データが記憶されており、例えば本実施形態においてはページ毎のＰＤＦ（Portable Document Format）ファイルで記憶されている。ここで、電子データの格納形式としては、例えばＰＤＦやｔｉｆｆ形式や、画像形式であるＪＰＥＧやＧＩＦ、テキスト、ＨＴＭＬ（HyperText Markup Language）、ＸＭＬ（Extensible Markup Language）等の形式、ＸＭＤＦ（ever-eXtending Mobile Document Format）形式等の電子ブック形式、その他独自ファイル形式といったものの何れかが採用されている。
【００５１】
［３．処理の流れ］
続いて処理の流れについて図を用いて説明する。
【００５２】
［３．１  デジタル複合機の処理］
デジタル複合機１０の処理の流れについて、図７のフローチャートを用いて説明する。まず、制御部１００は、画像入力部１１０に原稿がセットされた状態であるか否かを検出する（ステップＳ１００）。
【００５３】
ここで、原稿がセットされた状態を検出すると、次にスタートキーがＯＮとなったか否かを判定する（ステップＳ１０２）。スタートキーとは、利用者がデジタル複合機１０に対してジョブの開始を指示するキーであり、操作部１６０に含まれている。
【００５４】
スタートキーがＯＮとなると（ステップＳ１０２；Ｙｅｓ）、原稿読取処理が実行される（ステップＳ１０４）。原稿読取処理とは、原稿を画像入力部１１０により読み取り、原稿データとして出力する処理である。出力された原稿データは、原稿データ格納領域１５２に一時記憶されることとなる。
【００５５】
続いて、原稿識別情報認識処理が実行される（ステップＳ１０６）。原稿識別情報認識処理とは、読み取られた原稿データから、原稿を識別するための情報を認識するための処理である。
【００５６】
例えば、図８（ａ）は書籍の表紙（裏表紙）を表した図である。書籍は、領域Ｒ１００に書籍を識別するためのＩＳＢＮコードが印刷されていたり、領域Ｒ１０２に書籍を識別するためのバーコードが印刷されていたりする。
【００５７】
この、ＩＳＢＮコードをＯＣＲ処理で読み取ったり、バーコードを読み取ったりすることにより、原稿識別情報が認識される。
【００５８】
なお、本実施形態においては書籍について説明したが、例えば原稿に二次元バーコードを付加することとしても良いし、所定の注文伝票に識別可能な記号を印刷し、それを読み取るようにしても良い。また、書籍のタイトル、出版社、著者名等を表紙や奥付から認識しても良い。例えば、図８（ｂ）の奥付のページが読み込まれた場合に、奥付に印刷されている内容をＯＣＲ処理でテキスト認識し、タイトル、出版社、著者名等を原稿識別情報として認識する。
【００５９】
また、原稿識別情報は、読み取り用に付加されたコードに限定されるものでは無く、画像データとともに画像情報のデータベースに蓄積されている特徴データであれば良い。例えば、サーバに表紙等の画像データをハッシュ化したものを蓄積しておき、スキャン画像のハッシュ値と、表紙等のハッシュ値とを比較することにより、原稿を識別することが可能となる。
【００６０】
本実施形態においては、領域Ｒ１００に印刷されたＩＳＢＮコードをＯＣＲで認識することにより原稿識別情報として認識する。
【００６１】
図７に戻り説明をすると、制御部１００は、原稿から原稿識別情報を認識出来たか否かを判定する（Ｓ１０８）。原稿識別情報を識別出来た場合には（Ｓ１０８；Ｙｅｓ）、原稿識別情報をサーバ２０に送信する（ステップＳ１１０）。他方、原稿識別情報が認識出来なかった場合には、原稿が読み取り完了となっていない場合には次の原稿を読み取り、原稿識別情報認識処理を実行する（ステップＳ１０８；Ｎｏ→ステップＳ１２６；Ｎｏ→ステップＳ１０４）。
【００６２】
また、この次点で原稿の読み取りが完了した場合には（ステップＳ１２６；Ｙｅｓ）、原稿読取を終了し（ステップＳ１２８）、原稿データを出力する（ステップＳ１３０）。
【００６３】
原稿データを出力するとは、例えば画像形成部１２０により記録用紙に画像を形成する（すなわち、原稿データを印刷する）こととしても良いし、原稿データをＰＤＦ等の電子データに変換し、画像出力部１３０から出力することとしても良い。
【００６４】
ステップＳ１０８において、原稿識別情報が認識出来た場合には（ステップＳ１０８；Ｙｅｓ）、原稿識別情報１５４が出力され、原稿識別情報１５４をサーバ２０に送信する（ステップＳ１１０）。
【００６５】
ここで、通信部１４０を介してサーバ２０から通知信号を受信されると、制御部１００は通知信号からサーバ２０が電子データを提供可能か否かを判定する（ステップＳ１１２）。ここで、通知信号は、サーバ２０から送信される信号であり、電子データがサーバ２０に存在するか否かの情報が含まれている信号である。
【００６６】
ここで、通知信号から電子データがサーバ２０に不存在である、すなわちサーバ２０から電子データの提供が不可能であると判定された場合には（ステップＳ１１２；Ｎｏ）、原稿を最後まで読み取り、原稿読取を終了し、原稿データを出力する（ステップＳ１３２；Ｙｅｓ→Ｓ１３４→Ｓ１３６）。
【００６７】
他方、ステップＳ１１２において電子データがサーバ２０に存在する、すなわちサーバ２０から電子データの提供が可能であると判定された場合には（ステップＳ１１２；Ｙｅｓ）、利用者にその旨を報知する（ステップＳ１１４）。
【００６８】
続いて、利用者が電子データの提供を受けると選択した場合（ステップＳ１１６；Ｙｅｓ）、原稿読取を中断し（ステップＳ１１８）、電子データ出力設定処理を実行する（ステップＳ１２０）。電子データ出力設定処理は、電子データ要求情報１５６を生成してサーバ２０に送信する処理であり、詳細は後述する。
【００６９】
そして、サーバ２０から電子データを受信すると（ステップＳ１２２）、受信されたデータを所定の方法にて電子データを出力する（ステップＳ１２４）。ここで、本実施形態において電子データを出力する処理としては、印刷する処理（画像形成部１２０から出力される処理）、ＵＳＢメモリ等の接続された外部機器に電子データとして出力する処理、無線等を介して他の装置（例えば携帯電話等）に出力する処理が実行される。
【００７０】
なお、ステップＳ１１６において、利用者により電子データの提供を受けないと操作された場合には（ステップＳ１１６；Ｎｏ）、読み取られた原稿を出力する。
【００７１】
すなわち、原稿の読み取りが完了するまで原稿を読み取り、原稿の読み取りが完了した場合に（ステップＳ１３２；Ｙｅｓ）、原稿の読み取りを終了し（ステップＳ１３４）、原稿データを出力する（ステップＳ１３６）。
【００７２】
（電子データ出力設定処理）
ここで、ステップＳ１２０において実行される電子データ出力設定処理について、図９を用いて説明する。
【００７３】
まず、サーバから電子データが存在している通知信号を受信した場合に、取得する電子データを選択させる（ステップＳ１５０）。取得する電子データの選択とは、例えば電子データの種類や、画質、カラー情報、テキスト付加情報、データ形式といった種々の選択が可能である。本実施形態では、電子データの種類を選択することとする。
【００７４】
つぎに、取得する電子データは一部であるか、全部であるかを選択させる（ステップＳ１５２）。ここで、全部の取得データを取得すると選択された場合には（ステップＳ１５２；Ｎｏ）、取得範囲を全体として設定する（Ｓ１６０）。
【００７５】
また、取得する電子データを一部と選択した場合には（ステップＳ１５２；Ｙｅｓ）、取得データを自動で設定するか、任意に設定するかを選択させる（ステップＳ１５４）。
【００７６】
取得データが自動と設定された場合には（ステップＳ１５４；Ｙｅｓ）、取得範囲を読み込んだ原稿以降（ページ以降）に設定する（ステップＳ１５６）。すなわち、読み込んだ原稿データについては、そのまま利用する。
【００７７】
他方、取得データの範囲を任意とした場合には（ステップＳ１５４；Ｎｏ）、取得範囲設定処理を実行する（ステップＳ１５８）。取得範囲設定処理とは、取得する範囲（ページ）を任意に設定するものであり、例えば、「８ページ」と単独のページを設定したり、「２０ページ〜４０ページ」と所定の範囲を設定したり、「１ページ〜８ページ、１６ページ〜２０ページ」と複数の範囲を設定したりすることが可能である。
【００７８】
続いて、データの出力方法を選択させる（ステップＳ１６２）。具体的には、プリント要求をしたり、ＵＳＢメモリ等の外部機器に画像データとして保存する要求をしたり、無線等により他の端末装置に転送したりといった出力方法を選択させる。
【００７９】
なお、出力方法に応じて、要求する画像データの種類、画質等を設定することとしても良い。例えばプリントの場合には独自画像データを要求したり、画像データとして保存する場合にはＰＤＦ形式を要求したりすることが可能である。更に、例えば２００ｄｐｉや４００ｄｐｉといった画質も合わせて設定出来ることとしても良い。
【００８０】
そして、上述の処理に基づいて、サーバ２０に送信する電子データ要求情報を作成し（ステップＳ１６４）、電子データ要求情報をサーバ２０に送信する（ステップＳ１６６）
［３．２  サーバの処理］
続いて、サーバ２０の処理について、図１０を用いて説明する。サーバ２０は、デジタル複合機１０から原稿識別情報１５４を受信したか否かを判定する（ステップＳ２００）。
【００８１】
原稿識別情報１５４を受信する（ステップＳ２００；Ｙｅｓ）、当該原稿識別情報１５４に該当する電子データが、電子データ格納領域２５２に記憶されているか検索する（ステップＳ２０２）。
【００８２】
ここで、原稿識別情報は、完全一致するものが記憶されているか検索することとしても良いし、部分一致の電子データを検索して、候補として出力することとしても良い。
【００８３】
ここで、原稿識別情報１５４に該当する電子データが記憶されていない場合には（ステップＳ２０４；Ｎｏ）、電子データが存在しない（電子データ格納領域２５２に記憶されていない）旨の通知信号をデジタル複合機１０に送信する（ステップＳ２０６）。
【００８４】
他方、電子データが存在している（電子データ格納領域２５２に記憶されている）場合には（ステップＳ２０４；Ｙｅｓ）、電子データが存在する旨の通知信号を送信する（ステップＳ２０８）。
【００８５】
ここで、本実施形態における通知信号には、電子データが存在する旨の識別情報と合わせて、電子データ名や、電子データのページ数も含まれていているものとして説明する。しかし、デジタル複合機１０の動作に合わせて、通知信号に含まれる情報の組み合わせは変えることが出来る（例えば、デジタル複合機１０においてページ数を設定出来ない場合には、ページ数の情報については通知情報に含まれないこととする）。
【００８６】
次に、電子データ要求情報１５６が受信された場合には（ステップＳ２１０；Ｙｅｓ）、受信された電子データ要求情報１５６に基づいて電子データをデジタル複合機１０に送信する（ステップＳ２１２）。他方、電子データ要求情報１５６が所定時間受信されない場合には（ステップＳ２１０；Ｎｏ→ステップＳ２１４；Ｙｅｓ）、制御部２００は、電子データが不要であると判定し、本処理を終了する。
【００８７】
［３．３  システムの処理］
ここで、デジタル複合機１０と、サーバ２０とが含まれる情報提供システム１０の全体の流れについて、図１１を用いて全体的に説明する。
【００８８】
まず、デジタル複合機１０において原稿読取処理が実行され（ステップＳ１０００）、原稿から原稿データが生成される。そして、原稿識別情報認識処理により、読み取られた原稿から原稿識別情報１５４が認識される（ステップＳ１００２）。認識された原稿識別情報１５４は、サーバ２０に送信される（ステップＳ１００４）。
【００８９】
サーバ２０は、原稿識別情報１５４を受信すると（ステップＳ２０００）、原稿識別情報１５４に該当する電子データを、電子データ格納領域２５２から検索する（ステップＳ２００２）。そして、電子データが存在しているか否かを含めて、通知信号をデジタル複合機１０に送信する（ステップＳ２００４）。
【００９０】
デジタル複合機１０は、通知信号を受信すると（ステップＳ１００６）、電子データ要求情報１５６を作成する処理を実行する（ステップＳ１００８）。そして、電子データ要求情報１５６をサーバ２０に送信する（ステップＳ１０１０）。
【００９１】
サーバ２０は、電子データ要求情報１５６を受信すると（ステップＳ２００６）、受信された電子データ要求情報１５６に基づき、電子データを読み出してデジタル複合機１０に電子データを送信する（ステップＳ２００８）。
【００９２】
デジタル複合機１０は、電子データを受信すると（ステップＳ１０１２）、受信された電子データを所定の方法にて出力する（ステップＳ１０１４）。
【００９３】
［４．動作例］
続いて、動作例について図を用いて説明する。図１２は、デジタル複合機１０における操作部１６０の表示装置（タッチパネル）に表示される表示画面Ｗ１００の一例である。表示画面Ｗ１００のとき、原稿を画像入力部１１０から読み込むことが可能である。
【００９４】
図１３は、原稿を読み込み中の表示画面Ｗ１１０の一例である。原稿読取処理（図７のステップＳ１０４）により読み取られた原稿データから、原稿識別情報１５４が認識され（ステップＳ１０６）、認識された原稿識別情報１５４がサーバ１０に送信される（ステップＳ１１０）。このとき、利用者に対して電子データの情報提供がサーバ２０から可能か否かを問い合わせている状態を領域Ｒ１１０において報知している。これにより、利用者は、現在読み取り中の原稿に関する電子データについてサーバ２０に問い合わせ中であることが解る。
【００９５】
そして、図１４は、電子データが存在している場合（電子データの提供が可能である）場合の表示画面Ｗ１２０の一例である。電子データがサーバ２０から提供可能であることから、利用者に対して報知処理を行っている（ステップＳ１１２；Ｙｅｓ→ステップＳ１１４）。図１４の場合、領域Ｒ１２０に、「情報提供」が「提供可能」と表示されている。
【００９６】
図１５は、電子データとして取得する範囲を選択するための画面を表示している表示画面Ｗ１３０の一例である。領域Ｒ１３０には、提供される電子データが選択され（図９のステップＳ１５０）、電子データとして取得する範囲を設定するボタンが表示されている。
【００９７】
例えば、ボタンＢ１３０が選択された場合には、取得範囲として電子データの全体が設定される（ステップＳ１５２；Ｎｏ→ステップＳ１６０）。
【００９８】
また、ボタンＢ１３２が選択された場合には、電子データのうち一部の範囲が取得範囲として設定される。ボタンＢ１３２がタッチされた場合に表示される表示画面Ｗ１４０の一例を図１６に示す。
【００９９】
図１６の表示画面Ｗ１４０の領域Ｒ１４０には、電子データとして取得する取得範囲を設定する画面が表示されている。例えば、Ｍ１４０が選択された場合には、任意の取得範囲を設定することが出来る（ステップＳ１５４；Ｎｏ→ステップＳ１５８）。また、Ｍ１４２が選択された場合には、既に読み込まれた原稿データを利用し、読み込まれていないページ分の電子データが取得範囲として設定される（ステップＳ１５４；Ｙｅｓ→ステップＳ１５６）。
【０１００】
そして、図１５において、ボタンＢ１３４がタッチされると、図１７に遷移する。図１７は、電子データの出力方法を選択させるための表示画面Ｗ１５０の一例を示した図である。領域Ｒ１５０には、電子データを出力先が表示されており、利用者に選択させる。
【０１０１】
利用者により選択されると、電子データ要求情報１５６が作成され（ステップＳ１６４）、電子データ要求情報１５６がサーバ２０に送信される（ステップＳ１６６）。
【０１０２】
これにより、デジタル複合機１０は、サーバ２０より、電子データ要求情報１５６に基づいた電子データを受信し、選択された出力方法にて電子データが出力される。
【０１０３】
このように、本実施形態によれば、書籍など複数ページにわたる原稿をスキャンする場合に、書物を順にめくりながらスキャンさせる作業の手間を省くことができるのであればそのことを利用者に伝えることとなり、作業効率の完全提案につながる。
【０１０４】
また、必要に応じて電子データを利用するか否かの選択が可能であり、利用者が必要に応じて選べる自由度も残すことが可能となる。例えば、残りのページ数が多い場合は、電子データの提供を受けるが、残りのページ数が少ないのであれば読み取りを継続するといった柔軟性に優れたデジタル複合機（画像形成装置）を提供出来る。
【０１０５】
［５．適用例］
ここで、適用例として、課金制御を行う場合について説明する。例えば、サーバ２０において、電子データ格納領域２５２において、電子データ名に対応づけて課金情報を記憶する。例えば、一つの電子データに対する金額であったり、ページ毎に関する金額（単価）であったりを記憶する。
【０１０６】
そして、デジタル複合機１０から原稿識別情報が受信された場合、原稿識別情報に対応する通知信号を送信するが、ここに課金情報も含めて送信する。
【０１０７】
デジタル複合機１０では、取得する電子データと合わせて課金情報を表示させることが可能となる。例えば、図１８は、表示画面Ｗ１５０の領域Ｒ１５０に課金情報が表示されている。
【０１０８】
利用者は、領域Ｒ１５０に表示された課金情報に基づいて、電子データを全部取得するか、一部のみを取得するかを選択することが出来る。このように、例えば電子書籍サービス等のコンテンツ提供サービスにおいて、有効な情報を利用者に提供することが可能となる。
【０１０９】
［６．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１１０】
また、上述した実施形態は、画像形成装置をデジタル複合機に適用した場合について説明したが、例えばコンピュータ等の情報処理装置においても実現可能なことは勿論である。すなわち、本発明を提供可能なプログラムを実行したコンピュータにおいて、入力された画像から、原稿識別情報を認識し、当該原稿識別情報に対応する電子データがサーバに存在するか否かを確認する。そして、サーバに電子データが存在する場合には、サーバから電子データの提供を受けることにより、実現される。
【０１１１】
また、上述した実施形態において、電子データを記憶する為の記憶装置や、メンテナンス性を考慮して、サーバと接続されるデジタル複合機について説明しているが、今後デジタル複合機単独でも同様なことが実現可能なことは勿論である。
【０１１２】
すなわち、デジタル複合機１０の記憶部１５０に電子データを記憶させる。これにより、デジタル複合機１０は、サーバ２０に電子データが存在しているか否かを確認せず本発明を実現することが可能となる。
【０１１３】
ここで、記憶部１５０に記憶させる電子データは、予め記憶させることでも良いし、デジタル複合機１０に対して他のサーバから配信されることとしても良い。また、デジタル複合機１０の記憶部１５０に電子データが存在しない場合に、サーバ２０に確認するといった処理としても良い。
【０１１４】
また、上述した実施形態では、電子データの取得範囲を利用者に選択させているが、利用者に選択させる他にも、例えば制御部１００が判定して自動で設定されることとしても良い。具体的には、残りの読み取り原稿の量が所定枚数以下の場合には、電子データを使用せずに、総て原稿データを使用するといったことも可能である。
【０１１５】
また、上述した実施形態では、電子データとして画像データを取得する事として説明したが、他に必要な電子データ（情報）を取得しても良い。例えば、読み取られた原稿に対応するテキスト情報を取得し、読み取られた原稿データに対してテキスト情報を付加する（合成する）といった事も可能である。すなわち、原稿データの画像データをベースとし、電子データ（テキストデータ）を合成することができる。ＯＣＲ処理等によりテキスト情報を付加するのと比較して、高速かつ正確に処理を実行することが可能となる。
【符号の説明】
【０１１６】
１０  デジタル複合機
１００  制御部
１１０  画像入力部
１２０  画像形成部
１３０  画像出力部
１４０  通信部
１５０  記憶部
１５２  原稿データ格納領域
１５４  原稿識別情報
１５６  電子データ要求情報
１６０  操作部
１７０  電子データ要求情報
２０  サーバ
２００  制御部
２４０  通信部
２５０  記憶部
２５２  電子データ格納領域
【図２】
0005829043.tif 000002
【図３】
0005829043.tif 000003
【図４】
0005829043.tif 000004
【図５】
0005829043.tif 000005
【図６】
0005829043.tif 000006
【図７】
0005829043.tif 000007
【図９】
0005829043.tif 000008
【図１０】
0005829043.tif 000009
【図１１】
0005829043.tif 000010
【図１２】
0005829043.tif 000011
【図１３】
0005829043.tif 000012
【図１４】
0005829043.tif 000013
【図１５】
0005829043.tif 000014
【図１６】
0005829043.tif 000015
【図１７】
0005829043.tif 000016
【図１８】
0005829043.tif 000017
【図１】
0005829043.tif 000018
【図８】
0005829043.tif 000019